(57)【特許請求の範囲】
【請求項１】
主索に吊持されたかご枠と、
前側に出入口が設けられて上記かご枠の下部を構成する床枠に防振ゴムを介して載置されたかご室と、
上記かご枠の上部寄りに装着されて上記かご室の前側の外縁部対応位置に設けられたドアー装置の支持部材と、
この支持部材に支持されて上記出入口を開閉する引き戸と、
下縁部が上記床枠の上記かご室前側外縁部に装着されて立設され、上記出入口に対応した開口部が設けられて、上記かご室の前側を覆う前面及びこの前面に接続して設けられて上記かご室の横側を覆う側面からなる前部整風カバーと、
上記引き戸の外面を覆って装着された引き戸整風カバーと、
上記前部整風カバーの上記開口部の幅方向縁部及び上記引き戸の戸袋側縁部の両者の一方に装着されて上記引き戸の戸閉時に上記両者の他方に接する可撓性材料製の側部閉塞部材と、
上記前部整風カバーの上記開口部の上縁部及び上記引き戸の上縁部の双者の一方に装着されて上記引き戸の戸閉時に上記双者の他方に接する可撓性材料製の上部閉塞部材と、
上記出入口下縁部の前面及び上記引き戸の下縁部から下方に延長されて上記出入口下縁部前面と対向して配置された延長板の双方の一方に装着されて上記双方の他方に接して配置されて摺動する下部閉塞部材とを備え、
上記前部整風カバーは、前面上部と側面上部とに接続した上面が上記支持部材及び戸閉位置における上記引き戸の戸袋側縁部を上側から覆い、
上記引き戸整風カバーは、上記引き戸の戸閉時に上記出入口と上記前部整風カバーの前面との間で上記引き戸の戸袋側縁部を覆うように装着され、
上記側部閉塞部材は、上記前部整風カバー内で上記前部整風カバーの上面に上側から覆われるエレベーターのかご装置。
【発明の詳細な説明】
【０００１】
【発明の属する技術分野】
この発明は、昇降方向の端部から整風カバーが、昇降方向に先細形状に突出して装備されたエレベーターのかご装置に関する。
【０００２】
【従来の技術】
従来のエレベーターのかご装置として、かごの昇降方向のそれぞれの端部から昇降方向に、先細形状に突出した整風カバーが設けられた様式がある。そして、かごが高速で昇降路を昇降するときの空気流を整風カバーによって整流して、乱気流により生じる騒音が抑制される。また、整風カバーの背丈を高くすることによって、騒音の発生源をかごから遠ざけてかご内を静粛化するように構成されている。
【０００３】
【発明が解決しようとする課題】
上記のような従来のエレベーターのかご装置において、かごを構成するかご室の前面には出入口が設けられ、また出入口を開閉する引き戸及びこの引き戸を駆動するドアー装置が設けられる。したがって、かご室の前面にはドアー装置の部材等によって凹凸箇所が形成される。このため、かごが高速で昇降路を昇降するときにかご室の前面において空気の乱れが発生し易くなり、この乱気流に起因する不快な騒音がかご室に伝わってエレベーターの乗り心地が損なわれるという問題点があった。
【０００４】
この発明は、かかる問題点を解消するためになされたものであり、かごの昇降時にかご室の前側における空気流を整流し、乱気流による騒音発生を抑制することができるエレベーターのかご装置を得ることを目的とする。
【０００５】
【課題を解決するための手段】
この発明に係るエレベーターのかご装置においては、主索に吊持されたかご枠と、前側に出入口が設けられてかご枠の下部を構成する床枠に防振ゴムを介して載置されたかご室と、かご枠の上部寄りに装着されてかご室の前側の外縁部対応位置に設けられたドアー装置の支持部材と、この支持部材に支持されてかご室の出入口を開閉する引き戸と、下縁部が床枠のかご室の前側の外縁部に装着されて立設され、かご室の出入口に対応した開口部が設けられてかご室の前側を覆う前面及びこの前面に接続して設けられてかご室の横側を覆う側面からなる前部整風カバーと、引き戸の外面を覆って装着された引き戸整風カバーと、前部整風カバーの開口部の幅方向縁部及び引き戸の戸袋側縁部の両者の一方に装着されて引き戸の戸閉時に上記両者の他方に接する可撓性材料製の側部閉塞部材と、前部整風カバーの開口部の上縁部及び引き戸の上縁部の双者の一方に装着されて引き戸の戸閉時に上記双者の他方に接する可撓性材料製の上部閉塞部材と、かご室の出入口下縁部の前面及び引き戸の下縁部から下方に延長されて出入口下縁部前面と対向して配置された延長板の双方の一方に装着されて上記双方の他方に接して配置されて摺動する下部閉塞部材とを備え、上記前部整風カバーは、前面上部と側面上部とに接続した上面が上記支持部材及び戸閉位置における上記引き戸の戸袋側縁部を上側から覆い、上記引き戸整風カバーは、上記引き戸の戸閉時に上記出入口と上記前部整風カバーの前面との間で上記引き戸の戸袋側縁部を覆うように装着され、上記側部閉塞部材は、上記前部整風カバー内で上記前部整風カバーの上面に上側から覆われる。
【０００６】
【発明の実施の形態】
実施の形態１．
図１〜図３は、この発明の実施の形態の一例を示す図で、図１は斜視図、図２は図１のかごの出入口側の隅部を横断し拡大して示す平面図、図３は図１のかごの出入口箇所を縦断し拡大して示す側面図である。図において、１はかごを構成するかご枠で、鋼材がロ字状に組立てられてエレベーターの主索２が連結された枠体３及び枠体３の下部に設けられて枠体３内に水平に配置された床枠４によって構成されている。
【０００７】
５はかご室で、かご床６が床枠４に防振ゴム７を介して載置され、前側に出入口８が設けられている。９は支持部材で、枠体３の上部寄りに装着された取付腕１０及び両端が取付腕１０の先端に支持された桁１１によって構成されて、かご室５の前側の外縁部対応位置に配置されている。１２は桁１１に設けられたドアー装置である。
【０００８】
１３は引き戸で、ドアー装置１２を介して支持部材９に支持されてかご室５の出入口８を開閉し、戸当たり端には戸当たりゴム１４が設けられ、またセーフティシュー１５が内蔵状態に設けられ、さらにかご室５外面側を覆う引き戸整風カバー１６が設けられている。１７は上下整風カバーで、かご室５の上側及び下側、すなわち昇降方向端部にそれぞれ設けられて、かごの昇降方向のそれぞれの端部から昇降方向に先細形状に突出して配置されている。
【０００９】
１８は前部整風カバーで、下縁部が床枠４のかご室５の前側の外縁部位置に装着されて立設され、出入口８に対応した開口部１９が設けられてかご室５の前側を覆う前面２０、前面２０に接続して設けられてかご室５の横側を覆う側面２１及び前面２０に接続して設けられて支持部材９の上側を覆う上面２２が形成されている。
【００１０】
２３は可撓性材料製の側部閉塞部材で、引き戸１３の戸袋側縁部に長手に沿って装着されて、引き戸１３の戸閉時に前部整風カバー１８の開口部１９の幅方向縁部に接する。２４は可撓性材料製の上部閉塞部材で、引き戸１３の上縁部に装着されて出入口８幅の中心から引き戸１３の戸袋側縁部に向かって下降する傾斜線に沿って配置され、引き戸１３の戸閉時に前部整風カバー１８の開口部１９に形成されて、引き戸１３上縁部の傾斜線に対応して傾斜した上縁部に接する。
【００１１】
２５は下部閉塞部材で、引き戸１３の下縁部から下方に延長されて出入口８下縁部前面２６と対向して配置された延長板２７に出入口８幅方向に沿って装着され、下縁部前面２６に接して配置されて引き戸１３の開閉動作時に下縁部前面２６の上を摺動する。２８は出入口８下縁部に設けられた敷居、２９は引き戸１３の下端に装着された戸の脚で、敷居２８の案内溝に隙間を形成して嵌合されて引き戸１３の開閉動作によって案内溝内を摺動する。
【００１２】
３０は横断面において湾曲形状をなす可撓性材料製の上部閉塞板で、かご室５の上面と前部整風カバー１８の上面２２における枠体３側の縁部との空隙を覆って装着されている。３１は横断面において湾曲形状をなす可撓性材料製の側部閉塞板で、かご室５の側面と前部整風カバー１８の側面２１における枠体３側の縁部との空隙を覆って装着されている。３２はかご室５の出入口８縁部の壁面に凹設されたエレベーターの操作盤である。
【００１３】
上記のように構成されたエレベーターのかご装置において、前部整風カバー１８がかご室５の出入口８側、すなわち前側に配置されて、前部整風カバー１８の下縁部がかご枠１の床枠４に装着され、上縁部がかご枠１に設けられた支持部材９に装着される。そして、前部整風カバー１８の前面２０によってかご室５の出入口８を除いた前面が覆われる。また、前部整風カバー１８の側面２１によってかご室５の前面に接続した横側が覆われる。
【００１４】
さらに、引き戸１３の外面は引き戸整風カバー１６によって覆われ、また引き戸１３外面の下端には延長板２７が設けられている。そして、前部整風カバー１８の上縁及び下縁にはそれぞれ上下整風カバー１７が接続されている。このような構成によって、かご室５の前側には、前部整風カバー１８、引き戸整風カバー１６及び延長板２７による平坦面が形成される。
【００１５】
したがって、かご室５の前側においてドアー装置１２等の部材によって生じる凹凸箇所が無くなる。このため、かごが高速で昇降路を昇降するときの空気流が整流されて乱気流の発生が減少する。これによって、この乱気流に起因する不快な騒音がかご室に伝わる不具合が解消してエレベーターの乗り心地を向上することができる。
【００１６】
また、引き戸１３の戸閉時において、引き戸１３の戸袋側縁部が側部閉塞部材２３により、また引き戸１３の上縁部が上部閉塞部材２４により、引き戸１３の下縁部が下部閉塞部材２５によりそれぞれ閉塞される。そして、かご室５の上面と前部整風カバー１８の上面２２における枠体３側の縁部との空隙が上部閉塞板３０により、かご室５の側面と前部整風カバー１８の側面２１における枠体３側の縁部との空隙が側部閉塞板３１によって閉塞される。
【００１７】
このような構成によって、かご室５の前側に形成された隙間が側部閉塞部材２３等によって覆われる。このため、かご室５の前側における遮音性が向上する。さらに、かご室５の前側がかご室５の壁板等と前部整風カバー１８等の板材とによって二重構造となるので、かご室５内に伝わるかご室５外の不快な騒音が減少し、かご室５内を静粛化することができる。
【００１８】
なお、前部整風カバー１８はかご枠１の床枠４と支持部材９の間に装着され、引き戸１３はドアー装置１２、すなわちかご枠１に装着された支持部材９によって吊持される。また、前部整風カバー１８とかご室５は、上面において可撓性材料製の上部閉塞板３０により、側面において可撓性材料製の側部閉塞板３１によりそれぞれ接続される。したがって、かご枠１の床枠４にかご床６が防振ゴム７を介して支持されたかご室５の弾性支持機能が損なわれることがなく正常な防振作用を得ることができる。
【００１９】
また、かご室５が加振された場合であっても、かご室５の前側において隙間を形成する部材、例えば前部整風カバー１８と引き戸１３の間に相対変位が発生しない。このため、側部閉塞部材２３等による閉塞作用が損なわれることがなく、所要の遮音作用を維持することができる。
【００２０】
【発明の効果】
この発明は以上説明したように、主索に吊持されたかご枠と、前側に出入口が設けられてかご枠の下部を構成する床枠に防振ゴムを介して載置されたかご室と、かご枠の上部寄りに装着されてかご室の前側の外縁部対応位置に設けられたドアー装置の支持部材と、この支持部材に支持されてかご室の出入口を開閉する引き戸と、下縁部が床枠のかご室の前側の外縁部対応位置に装着されて立設され、かご室の出入口に対応した開口部が設けられてかご室の前側を覆う前面及びこの前面に接続して設けられてかご室の横側を覆う側面からなる前部整風カバーと、引き戸の外面を覆って装着された引き戸整風カバーと、前部整風カバーの開口部の幅方向縁部及び引き戸の戸袋側縁部の両者の一方に装着されて引き戸の戸閉時に上記両者の他方に接する可撓性材料製の側部閉塞部材と、前部整風カバーの開口部の上縁部及び引き戸の上縁部の双者の一方に装着されて引き戸の戸閉時に、上記双者の他方に接する可撓性材料製の上部閉塞部材と、かご室の出入口下縁部の前面及び引き戸の下縁部から下方に延長されて出入口下縁部前面と対向して配置された延長板の双方の一方に装着されて、上記双方の他方に接して配置されて摺動する下部閉塞部材とを備え、上記前部整風カバーは、前面上部と側面上部とに接続した上面が上記支持部材及び戸閉位置における上記引き戸の戸袋側縁部を上側から覆い、上記引き戸整風カバーは、上記引き戸の戸閉時に上記出入口と上記前部整風カバーの前面との間で上記引き戸の戸袋側縁部を覆うように装着され、上記側部閉塞部材は、上記前部整風カバー内で上記前部整風カバーの上面に上側から覆われるものである。
【００２１】
これによって、前部整風カバーがかご室の前側に配置されて、下縁部がかご枠の床枠に、上縁部はかご枠に設けられた支持部材に装着される。これにより、前部整風カバーの前面によってかご室の出入口を除いた前面が覆われ、また前部整風カバーの側面によってかご室の前面に接続した横側が覆われる。さらに、引き戸の外面は引き戸整風カバーによって覆われ、また引き戸外面の下端には延長板が設けられる。このようにしてかご室の前側には、前部整風カバー、引き戸整風カバー及び延長板による平坦面が形成される。したがって、かご室の前側においてドアー装置等の部材によって生じる凹凸形状が無くなり、かごが高速で昇降路を昇降するときの空気流が整流されて乱気流の発生が減少して、この乱気流に起因する不快な騒音がかご室に伝わる不具合が解消してエレベーターの乗り心地を向上する効果がある。
また、引き戸の戸閉時において、引き戸の戸袋側縁部が側部閉塞部材により、引き戸の上縁部が上部閉塞部材により、引き戸の下縁部が下部閉塞部材によりそれぞれ閉塞される。このような構成によりかご室の前側に形成された隙間が側部閉塞部材等によって覆われる。このため、かご室の前側における遮音性が向上する。さらに、かご室の前側がかご室の壁板等と前部整風カバー等の板材とによって二重構造となるので、かご室内に伝わるかご室外の不快な騒音が減少し、かご室内を静粛化する効果がある。
【図面の簡単な説明】
【図１】  この発明の実施の形態１を示す斜視図。
【図２】  図１のかごの出入口側の隅部を横断し拡大して示す平面図。
【図３】  図１のかごの出入口箇所を縦断し拡大して示す側面図。
【符号の説明】
１  かご枠、２  主索、４  床枠、５  かご室、７  防振ゴム、８  出入口、９  支持部材、１２  ドアー装置、１３  引き戸、１６  引き戸整風カバー、１８  前部整風カバー、１９  開口部、２０  前面、２１  側面、２３  側部閉塞部材、２４  上部閉塞部材、２５  下部閉塞部材、２６  下縁部前面、２７  延長板。
【図１】
0004540176.tif 000002
【図２】
0004540176.tif 000003
【図３】
0004540176.tif 000004